(57)【特許請求の範囲】
【請求項１】
時刻表示状態では分針が１分のステップを複数に分けて運針し、修正状態では前記分針が１分のステップを１回で運針する指針式電子時計において、
電源電圧が低下し所定の電圧以下になると電圧低下信号を出力する電圧検出回路と、前記電圧低下信号に基づき前記分針を停止させた後、前記時刻修正状態での時刻修正操作に基づき前記分針を各分の目盛り上のいずれかまで移動させる分針位置調整手段とを、含むことを特徴とする指針式電子時計。
【請求項２】
前記時刻表示状態では前記分針は１分のステップをｎ回に分けて運針し、前記分針位置調整手段が、カウント値が前記分針の位置を表すｎ進カウンタと、該ｎ進カウンタの出力に基づいて前記分針を各分の目盛り上のいずれかまで駆動する分針駆動手段とを有することを特徴とする請求の範囲第１項に記載の指針式電子時計。
【請求項３】
前記分針駆動手段が、前記分針を駆動させるための早送りパルスを作成する早送りパルス作成手段と、前記ｎ進カウンタのカウント値に基づき前記早送りパルスによって前記分針を駆動する時分針調整回路とから成ることを特徴とする請求の範囲第２項に記載の指針式電子時計。
【請求項４】
前記分針駆動手段が、ｎから前記ｎ進カウンタのカウント値を減算した数だけ前記分針を駆動させることを特徴とする請求の範囲第２項に記載の指針式電子時計。
【請求項５】
ｎの値が３であることを特徴とする請求の範囲第２項乃至第４項のいずれか１項に記載の指針式電子時計。
【発明の詳細な説明】
技術分野
本発明は、指針式電子時計に関し、特に分針が１分間隔を複数ステップする指針式電子時計に関する。
背景技術
従来より分針の動作を１分で１ステップ動かすのではなく、１５秒運針や２０秒運針などで動作させる電子時計が製品化されている。これらの電子時計は例えば２０秒運針の場合、１分間に３回ステップ動作を行ない１分進むようになっている。このような構成にする理由は分針のみでも秒の時間をおおよそ知ることができるためと、分針の回転角を小さくすることによりステップモータの駆動制御を行ないやすくするため等である。
ところが時刻の修正やアラーム時刻の設定などを前述したような駆動システムで行なうと大変煩わしく、特に１、２分のみ動かしたい場合などはスイッチ操作を頻繁に行なわなければならないという欠点を有していた。そこで本出願人は特開昭５７−１６９６９０号公報により、アラーム設定時には１回のスイッチ操作で１分進むシステムを開示している。
ところが従来の電子時計では通常の分針ステップが例えば２０秒運針であるため、電源電圧が低下し電子時計が停止すると、分目盛りと分目盛りの間で分針が止まってしまう可能性がある。そして電池を交換するなどして分針の修正を行なう場合は１分ずつ進んでしまうため、分目盛りに分針をあわせることができず時刻修正が大変行ないにくいものとなっていた。
発明の開示
本発明は上記課題を解決し、分針が１分間に複数回動作する時計でも、時刻修正を簡単に行なうことができる指針式電子時計を提供することを目的とする。
上記目的を達成するため本発明は、時刻表示状態では分針が１分のステップを複数に分けて運針し、修正状態では前記分針が１分のステップを１回で運針する指針式電子時計において、前記分針を停止させるときまたは時刻の修正を行うときに前記分針を各分の目盛り上のいずれかまで移動させて停止させる分針位置調整手段を設けたことを特徴とする。
また、本発明は、請求の範囲第１項に記載の指針式電子時計において、前記分針位置調整手段は電源電圧を検出する電圧検出回路によって制御されることを特徴とする。
また、本発明は、請求の範囲第１項に記載の指針式電子時計において、前記分針位置調整手段は時計のモードが通常状態から修正状態に移行したときに動作することを特徴とする。
また、本発明は、請求の範囲第１項に記載の指針式電子時計において、前記時刻表示状態では分針が１分のステップをｎ回に分けて運針し、前記分針位置調整手段が、カウント値が前記分針の位置を表すｎ進カウンタと、該ｎ進カウンタの出力に基づいて前記分針を各分の目盛り上のいずれかまで駆動する分針駆動手段とを有することを特徴とする。
また、本発明は、請求の範囲第１項に記載の指針式電子時計において、前記時刻表示状態では分針が１分のステップを３回に分けて運針し、前記分針位置調整手段が、カウント値が前記分針の位置を表す３進カウンタと、該３進カウンタの出力に基づいて前記分針を各分の目盛り上のいずれかまで駆動する分針駆動手段とを有することを特徴とする。
また、本発明は、請求の範囲第５項に記載の指針式電子時計において、前記分針駆動手段が、前記分針を駆動させるための早送りパルスを作成する早送りパルス作成手段と、前記３進カウンタのカウント値に基づき前記早送りパルスによって前記分針を駆動する時分針調整回路とから成ることを特徴とする。
また、本発明は、請求の範囲第５項に記載の指針式電子時計において、前記分針駆動手段が、３から前記３進カウンタのカウント値を減算した数だけ前記分針を駆動させることを特徴とする。
本発明に係る電子時計では電源電圧の低下などにより時分針が停止するときは、必ず正分の位置で停止するため電池交換などによる時分針の修正を容易に行なうことができるようになる。
【図面の簡単な説明】
ＦＩＧ．１は本発明の指針式電子時計の一実施の形態を示すブロック図、ＦＩＧ．２は本発明の指針式電子時計の指針位置をしめす概略図、ＦＩＧ．３は本発明の指針式電子時計の別の実施の形態を示すブロック図である。
発明を実施するための最良の形態
以下図面により本発明の実施の形態を詳述する。
ＦＩＧ．１は、本発明の指針式電子時計の一実施の形態を示すブロック図である。
ＦＩＧ．１において、１は発振回路、２は分周回路、３は修正用の早送りパルスＨＰを作成する早送りパルス作成手段、４は秒パルスＢＰを作成する秒パルス作成手段、５は２０秒パルスＭＰを作成する２０秒パルス作成手段である。６はＣ端子が”Ｈ”レベルならＡ入力を、”Ｌ”レベルならＢ入力を出力するセレクタＡ、７は時分針駆動用のパルスを作成する波形整形回路Ａ、８は時分針駆動回路、９は時分モータ、１０は時分針である。
１２は３進カウンタで２０秒パルスＭＰをカウントし、カウント数が０のときに”Ｈ”レベルの信号を出力する。またカウント数が２のときに再びパルスが入力されると０にもどる。１３は電圧検出手段で電源電圧が所定値以下になると電圧低下信号ＢＳを”Ｈ”レベルで出力する。１４は時分針調整回路であり、３進カウンタ１２が”Ｌ”レベルの信号をＣ端子に出力しているときのみに早送りパルスＨＰを通過させる。
１５はセレクタＢで秒パルスＢＰまたは早送りパルスＨＰのどちらかを選択して出力し、１６は波形整形回路Ｂで秒針駆動用のパルスを作成する。１７は秒針駆動回路、１８は秒モータ、１９は秒針である。
２０は秒針１９の針位置と対応する秒針位置カウンタ、２１は時刻の秒をカウントする秒カウンタ、２２はこれら２つのカウンタの一致を検出する一致検出手段である。
２３は時分修正スイッチであり、図示しないが抵抗を介してプルダウンされ、通常は”Ｌ”レベルの信号を、スイッチが操作されると”Ｈ”レベルの信号を出力する。２４は時分修正パルス作成手段で時分修正スイッチ２３の１回の操作によりパルスを３発出力する。２５はモードスイッチ、２６は秒修正スイッチでありどちらも時分修正スイッチ２３と同様に抵抗を介してプルダウンされており（図示せず）通常は”Ｌ”レベル、スイッチ操作により”Ｈ”レベルの信号を出力する。モードスイッチ２５がオフのときには通常状態であって電子時計が現在時刻を表示しており、モードスイッチ２５をオンすると修正状態になる。
２７、２８はアンド回路、２９〜３１はオア回路、３２は反転回路である。
続いて本発明の指針式電子時計の動作についてＦＩＧ．１、ＦＩＧ．２を用いて説明する。ＦＩＧ．２は本発明に係る電子時計の時分針１０の位置関係を示す概略図である。
まず各スイッチ２３、２５、２６を同時に押すなどして時計回路を初期化する。この動作に関しては本発明と直接関係なく、また既知の技術であるので図示せず詳細な説明は省略する。
つぎにモードスイッチ２５をオンして修正状態にする。この状態では秒カウンタ２１がリセットされ、０になる。オールリセット直後では秒針位置カウンタ２０も０となっているため一致検出回路２２は両カウンタ２０、２１の一致を検出し”Ｈ”レベルの信号をセレクタＢ１５に出力する。しかし修正状態では秒パルス作成手段４がリセットされているため秒パルスＢＰは出力されない。よって秒針１９は停止したままであり、また秒針位置カウンタ２０も０に保持されたままである。ここで秒針１９が０位置で停止していない場合は、修正スイッチ２６を操作して秒針１９を０位置までステップさせる。修正スイッチ２６は１回押す毎に１つのパルスをアンド回路２７へ出力する。このときモードスイッチ２５はオン状態であるためアンド回路２７はこのパルスをオア回路２９へ出力する。よって秒針１９のみが運針され、秒針位置カウンタ２０は０に保持されたままである。こうして秒針位置カウンタ２０と秒針１９の位置が一致する。
また、３進カウンタ１２が０のときに分針１０が正分位置にくるように、予めセットする必要がある。そのためには０位置合わせモードを持ち、スイッチ操作で１／３分ずつ進め、３進カウンタ１２を０に保持したまま分針を正分位置に合わせる操作を行うが、本発明と直接関係はなく、図示すると煩雑になるので省略する。
時分修正スイッチ２３を操作すると時分修正パルス作成手段２４から３発のパルスが出力される。本実施の形態の電子時計の時分針１０は、１発のパルスで１／３分進むため、３発のパルスでちょうど１分運針されることになる。セレクタＡではモード信号ＭＳが”Ｈ”レベルのためこの３発の修正信号をオア回路３０に出力する。３進カウンタ１２はリセット直後であるのでカウント値は０となっており、”Ｈ”レベルの信号を出力しておりそのため時分針調整回路１４も早送りパルスＨＰを出力せず、オア回路３０は３発のパルスを波形整形回路７に出力する。その結果時分針１０は１分ステップする。この操作を繰り返し時分針１０を現在時刻にあわせ、モードスイッチ２５をオフする。すると秒パルス作成手段４、２０秒パルス作成手段５および秒カウンタ２１はリセットを解除される。よって秒パルスＢＰが出力されセレクタＢはオア回路２９に秒パルスＢＰを出力する。オア回路２９のもう一方の入力は”Ｌ”レベルであるため秒パルスＢＰは秒針位置カウンタ２０、波形整形回路Ｂ１６に出力され、秒針１９は１秒運針を開始する。また秒カウンタ２１も秒パルスＢＰを入力しているため秒針位置カウンタ２０とともにカウントアップされる。
また２０秒パルス作成手段５もリセットを解除され２０秒パルスＭＰを出力する。このときモード信号ＭＳも電圧低下信号ＢＳも”Ｌ”レベルのためオア回路３１の出力は”Ｌ”レベルであり、２０秒パルスＭＰはオア回路３０に出力される。また早送りパルスＨＰも出力されていないため２０秒パルスＭＰは波形整形回路Ａ７に出力され時分針１０は１／３ステップ運針される。こうして電子時計は通常運針状態となる。またこのとき、３進カウンタ１２にも２０秒パルスＭＰが入力されるため時分針１０と連動してカウントアップすることになる。つまり３進カウンタのカウント値が０の時は時分針１０が正分位置、つまりＦＩＧ．２（ａ）に示す位置に、１の時は１／３ステップの位置、つまりＦＩＧ．２（ｂ）に示す位置に、２の時は２／３ステップの位置、つまりＦＩＧ．２（ｃ）に示す位置にあることになる。
通常状態で電子時計が現在時刻を表示しているときにモードスイッチ２５をオンすると修正状態になる。修正状態になると早送りパルス作成手段３はリセットを解除され早送りパルスＨＰを出力する。また秒パルス作成手段４、２０秒パルス作成手段５はリセットされそれぞれのパルスＢＰ、ＭＰは出力されなくなる。また秒カウンタ２１はリセットされ０となるため、一致検出回路２２は秒針位置カウンタ２０と秒カウンタ２１との不一致を検出して”Ｌ”レベルの信号を出力する。よってセレクタＢ１５は早送りパルスＨＰをオア回路２９へ出力する。オア回路２９にはこの早送りパルスＢＰを波形整形回路Ｂ１６と秒針位置カウンタ２０に出力し、その結果秒針１９は０位置で停止する。
また３進カウンタ１２が１または２であるとすると、時分針調整回路１４は早送りパルスＨＰを通過させオア回路３０に出力する。よって時分針１０はステップし、３進カウンタ１２はカウントアップする。３進カウンタ１２が０になると”Ｈ”レベルの信号を出力するため時分針調整回路１４は早送りパルスＨＰを出力しなくなる。よって時分針１０は正分の位置に停止し、３進カウンタ１２は０で停止する。
この状態で時分修正スイッチ２３を操作すると、３発の修正パルスが出力され、時分針１０は正分位置を保ったまま修正される。
通常運針状態で電源電圧が低下し所定の電圧以下になると、電圧検出手段１３は電圧低下信号ＢＳを”Ｈ”レベルで出力する。また３進カウンタ１２もカウント値が０つまり時分針１０が正分位置に来たときに”Ｈ”レベルの信号を出力する。よってアンド回路２８が”Ｈ”レベルの信号を出力し、オア回路３１を介して２０秒パルス作成手段５および秒パルス作成手段４にリセットがかけられる。よって２０秒パルスＭＰが出力されなくなるため時分針１０は正分の位置で停止することになる。また図示はしないがこのとき秒カウンタ２１をリセットすることにより前述した修正状態と同様の動作により秒針１９は０位置で停止する。
この実施の形態では、電圧検出手段１３が電圧低下信号ＢＳを出力しても、３進カウンタ１２が０になるまで、２０秒パルス作成手段５はリセットされない。よって電池電圧が低下しても最大で５９秒は時計が動作を続けることになる。これは電圧検出手段１３の検出電圧をある程度高く設定すれば、何の問題もないが、電圧低下信号ＢＳをセレクタＡ６、セレクタＢ１５およびオア回路３１に入力すれば、電圧低下後すぐに分針１０が正分位置で停止し、時計を停止状態に設定することが可能となる。
なお説明は省略したが電池を取り外そうとする時に動作するスイッチを設け、そのスイッチが入力されることにより上記のような動作を行なうように制御しても良い。
また本実施の形態では３進カウンタ１２をアップカウンタとして説明したが、アップダウンカウンタでも本発明を実施できることは言うまでもない。その場合は逆転駆動パルス作成回路を設け、カウント値が１の場合は３進カウンタ１２をダウンカウントして逆転パルスを１発出力し、カウント値が２の場合は３進カウンタをアップカウントして正転パルスを１発出力すればよい。また時分針の位置を記憶する時分針位置カウンタを設け、そのカウント値によって制御することも可能である。
また本実施の形態では時分針１０が２０秒運針するように構成されているが、本発明はこれに限定されるものではなく例えば１５秒運針、あるいは１０秒運針や３０秒運針の場合も含まれる。
また本実施の形態では電圧検出手段１３を有しているが、本発明はこれに限定されるものではない。
ＦＩＧ．３は、本発明の指針式電子時計の別の実施の形態を示すブロック図である。ＦＩＧ．１と同一のものは同一番号を付して説明を省略する。
ＦＩＧ．３において時分修正パルス作成手段２４０は分周回路２からのパルスを受けて時分針修正パルスを作成する。このときＦＩＧ．１に示した実施の形態と同様に時分修正スイッチ２３の入力で３発のパルスを作成するが、本実施の形態では３進カウンタ１２の値を受け、そのカウント値との差分を出力するように構成されている。
本実施の形態の具体的な動作は下記の通りである。
通常状態での動作はＦＩＧ．１に示した実施の形態と同様なので説明は省略する。
モードスイッチ２５がオンになると２０秒パルス作成手段５はリセットされ２０秒パルスＭＰは出力を停止される。よって時分針１０は操作が行われた位置で停止する。ここで時分修正スイッチ２３を操作すると、時分修正パルス作成手段２４０は３から３進カウンタ１２のカウント値を引いたパルス数だけ修正パルスを出力する。従って、時分針１０が正分位置から１進んだ位置で停止した場合は、（３−１）つまり２発の修正パルスを出力する。よって時分針１０は正分位置で停止する。また３進カウンタ１２はここで０になるのでその後修正スイッチ２３を操作した場合は３ステップずつ時分針１０が進む。よって時分針１０がどこで停止しても、最初の修正スイッチ２３の操作で必ず正分位置に停止し、その後は１分ずつの修正が可能となる。
通常状態で電源電圧が低下した場合は、電圧検出手段１３が出力する電圧低下信号ＢＳにより２０秒パルス作成手段５はリセットされる。その後の動作は上記の通りである。
産業上の利用可能性
本発明は指針式電子時計について開示したが、指針式で状態を表す他の機器に適用することもできる。
【図１】
0003937026.tif 000002
【図２】
0003937026.tif 000003
【図３】
0003937026.tif 000004